(57)【特許請求の範囲】
【請求項１】
高層建物であって、前記高層建物は：
（ａ）複数の離れたスペースをあけた柱であって、前記複数の柱の各柱は２つの対向する側面を有し、前記各柱の前記２つの対向する側面は、前記複数の柱のうちの前記柱と隣接する柱の２つの対向する側面と同じ側面上にあってなる柱と；
（ｂ）前記複数の柱の前記２つの対向する側面のうち少なくとも１つの対向する側面に取り付けられる仮支持エレメントであって、前記仮支持エレメントは前記柱上の複数の高さに取り付けられてなる仮支持エレメントと；
（ｃ）前記複数の柱に前記仮支持エレメントの近くで取り付けられるクリップアングルと；
（ｄ）複数のパネルであって、前記複数のパネルの各パネルは、
相互に接続された梁から構成されるフレームと、
前記フレームに取り付けられるデッキであって、前記デッキは相互に接続されたデッキング部から構成されるデッキとを有してなる複数のパネル
とを具備し、
前記フレームの前記各梁は、ある高さのところで、かつ前記柱の前記対向する側面のうちの１つの側面に対して前記仮支持エレメントに載置され、また前記フレームとともに前記クリップアングルによって前記柱に取り付けられ、
各２つの隣接するパネルは柱によって支持され、前記２つの隣接するパネルは前記柱のうちの２つの柱によって分離されかつ前記２つの柱の上で支持され、それによって前記２つの隣接するパネル間のスペースを画定する高層建物。
【請求項２】
前記各柱は４つ以上の側面を有する請求項１に記載の高層建物。
【請求項３】
前記フレームは４つの梁を有する請求項１に記載の高層建物。
【請求項４】
２つのクリップアングルが各仮支持エレメントの近くに取り付けられる請求項１に記載の高層建物。
【請求項５】
前記デッキング部はスチール異形材である請求項１に記載の高層建物。
【請求項６】
前記デッキがコンクリート層をさらに含む請求項１に記載の高層建物。
【請求項７】
前記梁は溝形梁またはＩ型梁である請求項１に記載の高層建物。
【請求項８】
前記複数の梁のうち１つの梁がスパンドレル梁である請求項１に記載の高層建物。
【請求項９】
前記各仮支持エレメントは上部フランジを有し、前記パネルは前記上部フランジに載置される請求項１に記載の高層建物。
【請求項１０】
前記各仮支持エレメントはフランジを有し、前記パネルは前記フランジに載置される請求項１に記載の高層建物。
【請求項１１】
前記各クリップアングルは穴付きである請求項１に記載の高層建物。
【請求項１２】
２つのクリップアングルが前記各仮支持エレメントの近くに取り付けられる請求項１に記載の高層建物。
【請求項１３】
高層建物であって、前記高層建物は：
（ａ）複数の離れたスペースをあけた柱であって、前記複数の柱の各柱は２つの対向する側面と中央線とを有し、前記各柱の前記２つの対向する側面は、隣接する柱の２つの対向する側面と同じ側面上にあり、前記各柱の前記中央線は前記各柱と前記隣接する柱との間を通走してなる柱と；
（ｂ）複数の仮支持エレメントであって、前記複数の仮支持エレメントのうちの１つの仮支持エレメントが、前記各柱の前記対向する側面の各側面、そして前記隣接する柱の各側面に取り付けられてなる仮支持エレメントと；
（ｃ）複数のクリップアングルであって、前記複数のクリップアングルの１つのクリップアングルが前記複数の仮支持エレメントの各仮支持エレメントの近くに取り付けられてなるクリップアングルと；
（ｄ）複数のパネルであって、前記複数のパネルの各パネルはフレームと前記フレームに取り付けられるデッキとを備え、前記フレームは相互に接続された梁から構成され、前記相互に接続された梁のうちの１つの梁はスパンドレル梁であってなるパネルと、
を備え、
前記パネルの前記フレームの前記相互に接続された梁のうちの１つの梁は前記各柱の前記仮支持エレメントに載置されて、仮支持エレメントに隣接する前記複数のクリップアングルのクリップアングルに取り付けられ、
前記複数のパネルの各２つの隣接するパネルの梁は、前記各柱及び前記隣接する柱の対向する側面において支えられ、前記各柱及び前記隣接する柱の前記対向する側面に取り付けられた前記仮支持エレメントに載置され、前記各柱及び前記隣接する柱は前記２つの隣接するパネルの間にあって、それによって前記２つの隣接するパネル間、前記各柱及び前記隣接する柱間のスペースを画定し、前記スペースは前記各柱及び前記隣接する柱の前記中央線と平行に通走する高層建物。
【請求項１４】
前記スパンドレル梁は：流出止と；
前記デッキを前記流出止に接続するスパンドレル梁閉鎖と；
前記デッキ、前記流出止及び前記スパンドレル梁閉鎖と一体的なコンクリート層と；
前記コンクリート層を補強することを含む請求項１３に記載の高層建物。
【請求項１５】
前記補強は、鉄筋と、鉤状の鉄筋とを備え、前記鉤状の鉄筋は前記流出止に取付けられてなる請求項１４に記載の高層建物。
【請求項１６】
前記流出止は：
第１フランジと；
前記第１フランジに対して実質的に垂直である第２フランジと；
前記第１フランジに取り付けられるカーテンウォールサポートと
を備える請求項１４に記載の高層建物。
【請求項１７】
高層建物であって、前記高層建物は：
（ａ）複数の離れたスペースをあけた柱であって、前記複数の柱の各柱は２つの対向する側面と中央線とを有し、前記各柱の前記２つの対向する側面は、隣接する柱の２つの対向する側面と同じ側面上にあり、前記各柱の前記中央線は前記各柱と前記隣接する柱との間を通走してなる柱と；
（ｂ）複数の仮支持エレメントであって、前記高層建物の各層について、前記複数の仮支持エレメントのうちの１つの仮支持エレメントが、前記各柱の前記対向する側面の各側面、そして前記隣接する柱の各側面に取り付けられてなる仮支持エレメントと；
（ｃ）複数のクリップアングルであって、前記複数のクリップアングルの１つのクリップアングルが前記複数の仮支持エレメントの各仮支持エレメントの近くに取り付けられてなるクリップアングルと；
（ｄ）複数のパネルであって、前記複数のパネルの各パネルはフレームと前記フレームに取り付けられるデッキとを備え、前記フレームは相互に接続された梁から構成されてなるパネルと
を備え、
前記パネルの前記フレームの前記相互に接続された梁のうちの１つの梁は前記各柱の前記仮支持エレメントに載置されて、仮支持エレメントに隣接する前記複数のクリップアングルのクリップアングルに取り付けられ、
前記複数のパネルのうち隣接する各２つのパネルは、前記各柱及び前記隣接する柱の前記対向する側面に取り付けられる前記仮支持エレメントにおいて支えられ、前記各柱及び前記隣接する柱は前記２つの隣接するパネルの間にあって、それによって前記２つの隣接するパネル間、前記各柱及び前記隣接する柱間のスペースを画定し、前記スペースは前記各柱及び前記隣接する柱の前記中央線と平行に通走する高層建物。
【請求項１８】
高層建物であって、前記高層建物は：
（ａ）複数の離れたスペースをあけた柱であって、前記複数の柱の各柱は２つの対向する側面と中央線とを有し、前記各柱の前記２つの対向する側面は、隣接する柱の２つの対向する側面と同じ側面上にあり、前記各柱の前記中央線は前記各柱と前記隣接する柱との間を通走してなる柱と；
（ｂ）複数の仮支持エレメントであって、前記高層建物の各層について、前記複数の仮支持エレメントのうちの１つの仮支持エレメントが、前記各柱の前記対向する側面の各側面、そして前記隣接する柱の各側面に取り付けられてなる仮支持エレメントと；
（ｃ）複数のクリップアングルであって、前記複数のクリップアングルの１つのクリップアングルが前記複数の仮支持エレメントの各仮支持エレメントの近くに取り付けられてなるクリップアングルと；
（ｄ）複数のパネルであって、前記複数のパネルの各パネルはフレームと前記フレームに取り付けられるデッキとを備え、前記フレームは相互に接続された４つの梁から構成され、前記デッキは複数の相互に接続されたデッキ異形材から構成され、前記デッキ異形材は前記デッキ異形材を覆うコンクリート層を備え、
前記パネルの前記フレームの前記相互に接続された梁のうちの１つの梁は前記各柱の前記仮支持エレメントに載置されて、仮支持エレメントに隣接する前記複数のクリップアングルのクリップアングルに取り付けられ、
前記複数のパネルのうち隣接する各２つのパネルは、前記各柱及び前記隣接する柱の前記対向する側面に取り付けられる前記仮支持エレメントにおいて支えられ、前記各柱及び前記隣接する柱は前記２つの隣接するパネルの間にあって、それによって前記２つの隣接するパネル間、前記各柱及び前記隣接する柱間のスペースを画定し、前記スペースは前記各柱及び前記隣接する柱の前記中央線と平行に通走する高層建物。
【請求項１９】
高層建物であって、前記高層建物は：
（ａ）複数の離れたスペースをあけた柱であって、前記複数の柱の各柱は２つの対向する側面と中央線とを有し、前記各柱の前記２つの対向する側面は、隣接する柱の２つの対向する側面と同じ側面上にあり、前記各柱の前記中央線は前記各柱と前記隣接する柱との間を通走してなる柱と；
（ｂ）複数の仮支持エレメントであって、前記高層建物の各層について、前記複数の仮支持エレメントのうちの１つの仮支持エレメントが、前記各柱の前記対向する側面の各側面、そして前記隣接する柱の各側面に取り付けられてなる仮支持エレメントと；
（ｃ）複数のクリップアングルであって、前記複数のクリップアングルの１つのクリップアングルが前記複数の仮支持エレメントの各仮支持エレメントの近くに取り付けられてなるクリップアングルと；
（ｄ）複数のパネルであって、前記複数のパネルの各パネルはフレームと前記フレームに取り付けられるデッキとを備え、前記フレームは相互に接続された梁から構成され、前記デッキは複数の相互に接続されたデッキ異形材から構成され、前記デッキ異形材は前記デッキ異形材を覆うコンクリート層を備え、
前記パネルの前記フレームの前記相互に接続された梁のうちの１つの梁は前記各柱の前記仮支持エレメントに載置されて、仮支持エレメントに隣接する前記複数のクリップアングルのクリップアングルに取り付けられ、
前記複数のパネルのうち隣接する各２つのパネルは、前記各柱及び前記隣接する柱の前記対向する側面に取り付けられる前記仮支持エレメントにおいて支えられ、前記各柱及び前記隣接する柱は前記２つの隣接するパネルの間にあって、それによって前記２つの隣接するパネル間、前記各柱及び前記隣接する柱間のスペースを画定し、前記スペースは前記各柱及び前記隣接する柱の前記中央線と平行に通走する高層建物。
【請求項２０】
フロアまたは屋根を建設する方法であって、前記方法は：
（ａ）離れて間隔を置かれる２つの柱を提供するステップであって、
前記２つの柱のうちの第１柱は、対向する側面と、第１クリップアングルと、対向する第２クリップアングルと、前記対向する側面のうちの第１側面上の第１仮支持エレメントと、前記対向する側面のうちの第２側面上の第２仮支持エレメントとを有し、
前記２つの柱のうちの第２柱は、対向する側面と、第１クリップアングルと、第２クリップアングルと、前記対向する側面のうちの第１側面上の第１仮支持エレメントと、前記対向する側面のうちの第２側面上の第２仮支持エレメントとを有し、
前記第１柱の前記第１仮支持エレメント及び第２仮支持エレメントは前記第１柱の対向する側面上にあり、
前記第２柱の前記第１仮支持エレメント及び第２仮支持エレメントは前記第２柱の対向する側面上にあってなるステップと；
（ｂ）複数の相互に接続された梁から構成される第１フレーム構成部分を提供するステップと；
（ｃ）複数の相互に接続されたデッキ部から構成される第１フロア構成部分を提供するステップと；
（ｄ）前記第１フレーム構成部分と前記第１フロア構成部分とを接続して第１パネルを形成するステップと；
（ｅ）前記第１柱の前記第１仮支持エレメントに、そして前記第２柱の前記第１仮支持エレメントに、前記第１パネルを置くステップと；
（ｆ）前記第１柱の前記第１クリップアングルに、そして前記第２柱の前記第１クリップアングルに、前記第１パネルを接続するステップと；
（ｇ）複数の相互に接続された梁から構成される第２フレーム構成部分を提供するステップと；
（ｈ）複数の相互に接続されたデッキ部から構成される第２フロア構成部分を提供するステップと；
（ｉ）前記第１柱の前記第２仮支持エレメントに、そして前記第２柱の前記第２仮支持エレメントに、前記第２パネルを置くステップであって、それによってオープンスペースが前記第１柱及び第２柱との間の前記第１パネル及び第２パネルの間に形成されてなるステップと；
（ｊ）前記第１パネル及び前記第２パネルにコンクリート層を配置するステップと
を含む方法。
【請求項２１】
前記第１フレーム構成部分の前記複数の相互に接続された梁は少なくとも一つのスパンドレル梁を備える請求項２０に記載の方法。
【請求項２２】
（ａ）前記オープンスペースにブロッキングを取り付けるステップをさらに含む請求項２０に記載の方法。
【請求項２３】
（ａ）前記オープンスペースにブロッキングを取り付けるステップと；
（ｂ）前記オープンスペースにスペースエンクロージャを取り付けるステップと；
（ｃ）前記スペースエンクロージャ上にコンクリート層を注入するステップと
をさらに含む請求項２０に記載の方法。
【請求項２４】
建物のフロアまたは屋根を建設する方法であって、前記方法は：
（ａ）離れたスペースをあけた垂直柱を設置するステップであって、前記垂直柱は垂直側面及び垂直中央線を備えてなるステップと；
（ｂ）前記垂直柱の前記垂直側面に仮支持エレメントを取付けるステップであって、前記仮支持エレメントの各仮支持エレメントは前記垂直柱のうちの１つの垂直柱に取り付けられてなるステップと；
（ｃ）前記垂直柱にクリップアングルを取付けるステップと；
（ｄ）複数の水平梁を接続してフレーム構成部分を形成するステップと；
（ｅ）複数のデッキ部を前記フレーム構成部分に接続してパネルを形成するステップであって、前記パネルは端を備えてなるステップと；
（ｆ）前記垂直柱の前記仮支持エレメントに前記パネルを置くステップであって、前記フレーム構成部分の前記水平梁は前記仮支持エレメントに支持されてなるステップと；
（ｇ）前記垂直柱の前記クリップアングルに前記パネルを取付けて前記建物にフロアを提供するステップであって、それによって前記パネルは前記仮支持エレメントによって前記垂直柱の前記垂直側面から支持されてなるステップと
を含む方法。
【請求項２５】
前記複数の水平梁のうち１つの水平梁はスパンドレル梁である請求項２４に記載の方法。
【請求項２６】
前記スパンドレル梁は、（ａ）前記スパンドレル梁の一部としてカーテンウォールサポートアングルを取り付けて建物の外側のカーテンウォールを支持するステップによって形成される請求項２５に記載の方法。
【請求項２７】
前記スパンドレル梁は、（ａ）前記スパンドレル梁の一部として連続するコンクリート補強鉄筋を取り付けて、前記スパンドレル梁に、前記フロア構成部分に沿ってシア抵抗及び曲げ抵抗を提供するステップによって形成される請求項２５に記載の方法。
【請求項２８】
前記スパンドレル梁は、（ａ）連続する流出止部材を前記スパンドレル梁の一部として取り付けるステップによって形成される請求項２５に記載の方法。
【請求項２９】
前記各仮支持エレメントは上部フランジを有し、
前記垂直柱の前記仮支持エレメントに前記パネルを置くステップは、（ａ）前記各仮支持エレメントの前記上部フランジに前記パネルを置くステップをさらに含む請求項２４に記載の方法。
【請求項３０】
前記スパンドレル梁は前記フロア構成部分と同じ奥行を有する請求項２５に記載の方法。
【請求項３１】
建物のフロアまたは屋根を建設する方法であって、
前記建物は離れたスペースをあけた複数の垂直柱を有し、
前記複数の垂直柱の各垂直柱は対向する垂直側面と垂直中央線とを有し、前記方法は：
（ａ）前記垂直柱の前記垂直側面に仮支持エレメントを取付けるステップであって、前記仮支持エレメントの各仮支持エレメントは１つの垂直柱に取り付けられてなるステップと；
（ｂ）前記垂直柱にクリップアングルを取付けるステップと；
（ｃ）フレーム構成部分を形成するステップであって、各フレーム構成部分は複数の水平梁を相互に接続することによって形成されてなるステップと；
（ｄ）フロア構成部分を前記フレーム構成部分に固定してパネルを形成するステップであって、各フロア構成部分は１つのフレーム構成部分に固定された複数の接続されたデッキング部から構成されて１つのパネルを形成し、前記フロア構成部分は端を有してなるステップと；
（ｅ）前記垂直柱の前記仮支持エレメントに前記パネルを置くステップと；
（ｆ）前記垂直柱の前記クリップアングルに前記パネルを取付けて前記建物にフロアを提供するステップであって、前記パネルは前記垂直柱の前記垂直側面によって前記仮支持エレメントに支持されてなるステップと
を含む方法。
【請求項３２】
前記垂直柱の前記クリップアングルに前記パネルを取付けるステップは、（ａ）前記パネルを前記垂直柱に取付けるステップであって、前記パネルが前記垂直柱の前記中央線に沿ってかつ前記パネルの間にスペースを残してなるステップをさらに含む請求項３１に記載の方法。
【請求項３３】
前記垂直柱の前記クリップアングルに前記パネルを取付けるステップは、（ａ）前記仮支持エレメントをある高さのところで前記柱の前記側面に取付けるステップをさらに含み、
前記垂直柱の前記仮支持エレメントに前記パネルを置くステップは、（ｂ）前記各パネルを前記高さのところに載せるステップをさらに含む請求項３１に記載の方法。
【請求項３４】
建物のフロアまたは屋根を建設する方法であって、前記方法は：
（ａ）離れたスペースをあけた複数の垂直柱を設けるステップであって、前記複数の垂直柱の各垂直柱は対向する垂直側面と垂直中央線とを有し、前記柱は仮支持エレメントを有してなるステップと；
（ｂ）クリップアングルを前記垂直柱の前記対向する垂直側面に取付けるステップであって、少なくとも１つのクリップアングルが前記各垂直柱に取り付けられ、前記クリップアングルが前記垂直柱のある高さのところに取り付けられてなるステップと；
（ｃ）複数の水平梁を相互に接続することによって複数のフレーム構成部分を形成するステップと；
（ｄ）複数のデッキ部を相互に接続することによって複数のフロア構成部分を形成するステップと；
（ｅ）前記複数のフロア構成部分を前記複数のフレーム構成部分に固定して複数のパネルを形成するステップであって、前記複数のフロア構成部分の各フロア構成部分は前記複数のフレーム構成部分のうちの１つのフレーム構成部分に固定されて前記複数のパネルのうちの１つのパネルを提供し、前記複数のパネルの各パネルは端を有してなるステップと；
（ｆ）前記各パネルを引き上げるステップと；
（ｇ）前記垂直柱の前記仮支持エレメント上に前記各パネルを置くステップと；
（ｈ）前記垂直柱の前記クリップアングルに前記各パネルを取付けて、前記垂直柱の前記中央線に沿って前記複数のパネルのうちの相隣接するパネルの間に、そして前記パネルの前記フレーム構成部分の間に、スペースを形成するステップと
を含む方法。
【請求項３５】
建物のフロアまたは屋根を建設する方法であって、前記方法は：
（ａ）離れたスペースをあけた２つの垂直柱を設けるステップであって、前記２つの垂直柱の各垂直柱は対向する垂直側面と垂直中央線とを有してなるステップと；
（ｂ）クリップアングルを前記２つの垂直柱の前記対向する垂直側面に取付けるステップであって、少なくとも１つのクリップアングルが前記各垂直柱に取り付けられ、前記クリップアングルが前記垂直柱のある高さのところに取り付けられてなるステップと；
（ｃ）２つのフレーム構成部分を形成するステップであって、前記２つのフレーム構成部分の各フレーム構成部分は複数の水平梁を相互に接続することによって形成されてなるステップと；
（ｄ）２つのフロア構成部分を前記２つのフレーム構成部分に固定して２つのパネルを形成するステップであって、前記２つのフロア構成部分の各フロア構成部分は、前記２つのフレーム構成部分のうちの１つのフレーム構成部分に固定された複数の相互に接続されたデッキ部から構成されて前記２つのパネルのうちの１つのパネルを提供してなるステップと；
（ｅ）前記２つのパネルの前記各パネルを前記２つの垂直柱上の前記クリップアングルに取り付け、１つのパネルを前記２つの柱の第１側面上の前記クリップアングルに取り付け、第２パネルを前記２つの柱の対向する側面上の前記クリップアングルに取り付けて、前記垂直柱の前記中央線に沿って前記２つのパネルの間に、そして前記２つのパネルの間に、スペースを残してなるステップ
とを含む方法。
【発明の詳細な説明】
【技術分野】
【０００１】
本発明は、全般的にパネル化システムに関する。より詳しくは、本発明は、建設用フロア、屋根、または建物のプラットフォームまたは他の構造のための前もって組立てられたフレームおよびデッキパンを用いる方法に関する。
【背景技術】
【０００２】
建物の建設および設計する際のいくつかの懸念（関心事）は、費用を最小限に抑えること、安全な作業環境を維持すること、および設計上の自由度および創造性を最大にすることである。これらのたいてい矛盾する懸念の中でバランスを保つことは、パネル化システムを開発する際に直面した難題である。本発明は同一品質を保証し、安全性を増加させ労働および材料費を減らし、設計上の自由度を可能にする独特の建設方法を取り入れることにある。
【０００３】
作業員の安全性を確保することは、いかなる建物、とりわけ高層建造物の建設段階において優先する懸念である。概して、前もって組立てられたフロアまたは屋根モジュールの取付けは、従来の一つ一つの組立てと対照的に、現場の安全性を促進する。地上で部品を組立てることは、高所では少ない労働を要することを保証する。加えて、一旦モジュールが所定の位置にあれば、すべての職種の作業者は、彼らの作業を遂行することができる即座のプラットフォームが与えられる。
【０００４】
したがって、容易に予め組立てられ取付けされる便利で順応性のある構成要素を提供するパネル化システムへの可能性がある。
【発明の概要】
【０００５】
以下は、本発明のいくつかの態様の基本的な理解を提供するために簡略化された発明の開示を示す。この開示は本発明の詳細にわたる概要でない。本発明の主要もしくは重要な要素を特定することや本発明の範囲を詳細に描写することを目的としない。その唯一の目的は、後で示されるより詳細な説明への序文として本発明の若干の概念を単純化された形で示すことである。
【０００６】
その主要面および簡潔に述べられたことに従い、本発明は、フロアまたは屋根構成部分（例えば、コンポジット・デッキ・システム）、フレーム構成部分および、任意にスパンドレル梁方式、コンクリート層または両方を有するパネル化システムを備える。これらの構成部分やそれらの組み合わせはパネルを形成するために組合される。フレーム構成部分は４側面上の水平支持梁を含み、任意に３側面上側の水平支持梁および４側面上のスパンドレル梁方式を備える。水平支持梁のうちの２本は対向する柱に取り付けられる。水平支持梁構成部分は、特定の形状に限定されず、一般に溝形梁または広いフランジ梁となり、デッキ部材の各先端をサポートするために必要な大きさにされる上部フランジを含む。デッキ部材は、水平支持梁エレメントの垂直ウェブに固定するレッジャーアングルにより支えられることもできる。スパンドレル梁システムは、多数の個々の要素から成る水平構造構成部分である。加えて、本願明細書中に記載の複数のパネルを、複数の領域およびレベルを有する建物を形成するために結合されることができる。
【０００７】
本発明は、パネル化されたフロア、屋根またはプラットフォームを建設する方法を更に含んでおり、従ってパネル化方法と称される。方法のステップは、１）パネル化システム周辺部または建物の中のいくつかの特定領域内を確立するように離れて間隔を置かれる柱を提供するステップと、２）水平フレームを提供するステップと、３）デッキを提供するステップと、４）パネルを形成するために水平フレームおよびデッキを接続するステップと、５）柱の間の位置にパネルを敷くこと、６）そして、パネルを柱に接続すること、を含む。追加的および任意に、本発明の方法はフレームの一部としてスパンドレル梁方式を組み立てるステップ、コンクリート層をパネルに配置することまたは両方を含むことができる。
【０００８】
本発明の特徴は、機械／電気／配管（ＭＥＰ）部品のためのスペースおよび梁間の接続を定めるような方法で柱に接続している水平支持梁エレメントの使用である。従来のフレーミングシステムは、フロア、屋根またはプラットフォームのための支持を与えるための柱の中央線の間および沿いに広いフランジ梁を用いる。これらの典型的フレーミングシステムは、ＭＥＰ部品および接続のためのスペースを残さない。むしろ、建物の建設における別々のステップとして、ＭＥＰ部品および接続のためのスペースは作り上げなければならないかまたは後で造られなければならない。４面の柱の対向する側面に接続している梁を用いることにより柱の中央線よりはむしろ、空間は柱の中央線沿いおよび梁間に構築される。梁間と柱間のこれらのスペースは、建設労働時間および経費を減らすと共に、ＭＥＰ部品の位置決めおよび接続のための大きな設計自由度を可能にする。
【０００９】
本発明の他の特徴は、より少ない時間を費やし従来技術の実施より安全であるパネル化システムを使用するフロアまたは屋根の建設の方法である。例えばフロア構造を用いた従来の建設方法は、フロア構成部分の束がそれぞれ縛られそれぞれ取付けられた水平支持梁の上に乗せられることを要する。束が外されそれぞれのフロア構成部分は梁エレメントにわたって分配される。それぞれのフロア構成部分は続いて梁に取付けられる。このプロセスは、建物の高さが上昇するにつれて次第に難しくなり時間がかかるようになり、安全性に対する懸念が増し高層建物の建設費が増加する。
【００１０】
しかしながら、本発明は、地上でパネルシステム（コンクリート層の無い）を完全に組立てる方法を提供し、それから予め組み立てられたパネルを仮支持エレメントの上に乗せ所望の建物の高さで柱に固定することを提供する。例えば、本発明のパネル化システムは、さまざまなサイズの予め組み立てられたフロアまたは屋根パネルを建物の「高所で」直接配置することを含む。これらのパネルが柱側面に沿って通る梁に組込まれ、柱の中央線沿いおよび柱間には直接組込まれないので、パネルは柱に永久に取付けられる前に仮支持エレメントに適切に配置されることができる。これは配置、吊り下げ、またはそれらを永久に取付ける前にそれらの正確な最終的位置に建設構成部分を固定する必要を軽減する。要するに、「高所で」それぞれのフロアまたは屋根およびフレーム構成部分の操作および取付けが完全に回避される。
【００１１】
本発明の水平フレームが柱の側面上の仮支持エレメントに支持されるという事実はまた高層建物が建設される速さを増す。例えば、従来の一つ一つの建設において、それが建物の垂直および／または水平フレームに取付けられる間クレーンは特定の構成部分を適所に保つことが要求される。本発明については、フロアまたは屋根パネルは、単に仮支持エレメントに載置されクレーン・オペレータによって適切な場所に置かれる。クレーンは第１パネルが柱に永久に取付けられる一方で第２パネルをつり上げ始めることができる。
【００１２】
より安全な労働現場を可能とするいくつかの本発明の態様もある。第１に、本発明のパネル化システムは、「高所で」と対照的により多くの仕事が地上で行なわれることを可能にする。当然、他の全ての要因が同じように、地上で作業をするほうが高所で作業をするよりもより安全である。さらに、フロアまたは屋根パネルは地上で安全レールを装備することができ、それにより一旦フロアまたは屋根パネルが所定の位置に持ち上げられたならすぐに転倒保護を提供する。最後に、パネル用の仮支持エレメントの使用はパネルが柱の対向する側面に配置される間作業員の立ち位置を提供する。フレーム構成部分が本発明のような柱の側面に代わって上部または柱の中央線に沿って取付けられる場合は不可能であろう。
【００１３】
フロアまたは屋根への適用での本発明の他の特徴は、フロアまたは屋根構成部分の全面の奥行に合致することができるスパンドレル梁方式の使用である。建物の建設において、境界線または外側端で柱から柱まで延在する梁および階の間にあるフロアまたは屋根レベルをマークする梁は、一般にスパンドレル梁と称される。スパンドレル梁は、建物の外側の鼻隠しにより負わされる垂直および横方向の負荷をサポートするように設計されカーテンウォールとも称される。スパンドレル梁は、フロアまたは屋根の重力量負荷をサポートすることもできる。伝統的に、難題は補強をフロアまたは屋根構成部分の厚みを増すことなくスパンドレル梁に提供することであり、それにより外部でより厚みのある梁部を要することを回避することにある。これらの厚みのある梁部は、視野を減らし設計上および美的適応性を制限する隔壁を形成する。本発明のスパンドレル梁システムの上部および底部は、建物のフロアまたは屋根構成部分の上部および底部と同一平面上であることができる。したがって、スパンドレル梁システムはカーテンウォールを支持する困難な課題を達成し、その一方でカーテンウォールに隣接した隔壁なしの連続的な天井をさらに提供する。本発明のスパンドレル梁システムが、建物横方向の支持システムの不可欠な部分であるドラッグストラットとして用いられることもできる。
【００１４】
本発明の他の特徴は、ＭＥＰ部材の設置およびパネルが地上にあるときにパネルに他の建物構成部分を設置する能力であり、したがって「高所で」行われる作業をさらに最小限に抑える。
【００１５】
本発明の他の特徴は、パネルが持上げられ取付けられる前にさまざまな建設材および器材をパネルに仮に保管する能力である。一旦パネルが取付けられると、仮に保管された材料は降ろされるかまたは分配されることができる。さらにまた、取付けられたパネルは作業員が直ちに働き始めることができる安全なプラットフォームを構成する。これらの特徴の全ては、より安全でより効果的な建設現場に寄与する。
【００１６】
他の本発明の特徴および効果は、下記に示され図面を伴う実施例の詳細な開示の熟読から当業者にとって明らかであろう。
【図面の簡単な説明】
【００１７】
【図１】本発明の一実施例による、複数の外側の予め組立てられたパネルおよび内側現場据付けパネルを示している平面図である。
【図２】本発明の別の実施例による、複数の外側パネルと接続される複数の内側の予め組立てられたパネルを示している平面図である。
【図３】本発明の一実施例による、外側の予め組立てられたパネルの断面図（図１に示される３−３線において取った）である。
【図３Ａ】本発明の一実施例による、外側の合成パネルの拡大断面図（図３の３Ａ部分を詳細にした）である。
【図３Ｂ】本発明の一実施例による、外側の複合パネルの拡大断面図（図３の３Ｂ部分を詳細にした）である。
【図４】本発明の別の実施例による、外側の予め組立てられた合成パネルの断面図（図１の４−４線において取った）である。
【図４Ａ】本発明の別の実施例による、外側の合成パネルの拡大断面図（図４の４Ａ部分を詳細にした）である。
【図４Ｂ】本発明の別の実施例による、外側の合成パネルの拡大断面図（図４の４Ｂ部分を詳細にした）である。
【図５】本発明の一実施例による、１枚の外側の合成パネルの断面図（図１の５−５線において取った）であり、本発明の別の実施例による、第２の外側の合成パネルおよび内側のフィールド据付けパネルである。
【図５Ａ】本発明の一実施例による、内側のフィールド据付けパネルの拡大断面図（図５の５Ａ部分を詳細にした）である。
【図５Ｂ】本発明の別の実施例による、内側のフィールド据付けパネルの拡大断面図（図５の５Ｂ部分を詳細にした）である。
【図５Ｃ】本発明の一実施例による、スパンドレル梁システムの断面図の拡大断面図（図５の５Ｃ部分を詳細にした）である。
【図６】本発明の一実施例による、複数のパネル化されたデッキパンの斜視図である。
【図７】本発明の一実施例による、フロアまたは屋根パネルのフレームと柱との接続状態の斜視図である。
【図８】本発明の一実施例による、１枚の外側の合成パネル、本発明の別の実施例による第２の外側の合成パネルおよび予め組立てられた内側パーティションの断面図（図２の８−８線において取った）である。
【図８Ａ】本発明の一実施例による、予め組立てられた内側パーティションパネルと外側パネル間の接続の拡大断面図（図８の８Ａ部分を詳細にした）である。
【図８Ｂ】本発明の別の実施例による、予め組立てられた内側パーティションパネルと外側パネル間の接続の拡大断面図（図８の８Ｂ部分を詳細にした）である。
【図９】本発明の別の実施例による、図２で示す内側および外側の予め組立てられたパネルフレームと柱における接続状態の詳細を示す拡大平面図である。
【発明を実施するための形態】
【００１８】
本発明はパネル化システム及び方法である。図面、特に図１の実施例にて図示したように、パネル化システム１０は外側の予め組立てられたパネル２１、２２、２３、および２４、フィールド据付け内側パーティション１８から成る。外側フロアまたは屋根パネル２１、２２、２３および２４のそれぞれは例えばデッキ９０およびフレーム３０のようなフロア構成部分を含む。本発明のパネル化システム１０は、様々な建設計画の使用に理想的であり、フローリングのためだけでなく、様々な従来の建設構成部分と容易に連結される。例えばこの例に限らないが、本発明のパネル化システム１０は、４つのフロアパネル２１、２２，２３および２４の周辺部を形成する複数の柱２０を有する建物に組込まれるものとして示される。
【００１９】
図１にさらに図示されるように、外側パネルの隣接ペア（すなわち２１、２２および２３、２４）は、隣接するパネル間に柱２０と柱２０の両側面に取付けられる。また、第１および第２パネル２１および２２が、内側のスペースの周辺部にわたるインテリアパーティション１８によって第３および第４パネル２３および２４から分けられ、たとえば通路として役立つ点に注意する。内側パーティション１８はパネル化ではなく、図１にて図示したように個々のデッキパンから成るフィールド据付けシステムであり、あるいは内側パーティション１９（図２）は外側パネルのパネル化システムと類似の方法で予め組立てられることができ、パネル化されたデッキパンが利用される。図２は４つの予め組立てられた外側パネル２１、２２、２３および２４とパネル化された内側の予め組立てられたパーティション１９との間の接点のより近い平面図である。
【００２０】
図３は、パネル化システム１０の断面図（図１の断面３−３に沿って取った）である。加えて、パネル化システム１０の取付け領域は、図３Ａおよび図３Ｂにおいて詳述される。図示するように、外側パネル２１および２２のフレーム部材３０は柱２０に接続している。具体的には、図３、図３Ａおよび図３Ｂに示されるフレーム部材３０は、柱２０から離れて、外へ延在しているチャネル・フランジを有する柱２０の両側面に取付けられる水平溝形梁から成る。
【００２１】
通常、フレーム３０は外側パネル２１、２２、２３または２４を支持するため必要な大きさにされる。図３Ａ、図３Ｂにおいて（図４Ａ、図４Ｂ、図５Ａ、図５Ｂおよび図５Ｃも同様に）、フレーム３０によって支持されるフロアパネル２１、２２、２３、２４の構成部分は金属デッキ９０である。特に、フレーム３０は一般的にデッキ９０の端９４を支持する上部フランジ１２０を含む。本実施例において、フレーム３０は中間の梁（例えば、小梁または桁）または他の支持体のないデッキ９０を支持する。また、図３Ａおよび図３Ｂに示されるように、柱２０の両側面の支持フレーム３０は、柱２０の中央線１７に沿ったフレーム３０間と柱２０間にスペース３２をつくる。後述するように、このスペース３２は建物の建設に非常に役立つことができる。
【００２２】
前述したように、本発明の特徴は、柱２０の側面に接続しているフレーム３０の使用である。従来技術システムは、直接フロアまたは屋根構成部分に支持体を提供する柱の中央線の間に沿ってわたされた水平な広いフランジ梁の使用である。広いフランジ梁の形状のため、柱間の梁の付属品は柱とのスペースの全てを使ってしまう。柱２０の側面に接続しているフレーム３０を用いて、スペース３２は中央線沿いおよび柱２０間に作成される。この空間３２は、設計およびユーティリティの設置に柔軟性を与え、フロアや屋根を通る他の建設構成部分、例えば機械、電気、配管、通信などの垂直通路を可能にさせる。
【００２３】
図３Ａおよび図３Ｂを再度参照して、例えばこの例に限らないが、流し込むことができるコンクリート４０の連続層はデッキ９０を覆って入れられ、建物のフロアまたは屋根パネル２１、２２、２３および２４の構造をさらに完全にするためにフレーム３０の範囲に入れることができる。フレーム３０は任意にシアスタッド４２を含み、それはコンクリート層４０に延在し、コンクリート４０およびフレーム部品３０の合成相互作用を増加させる。
【００２４】
デッキ９０を支持するときにフレーム３０が対向する柱２０の間にオープンスペース３２をつくるので、スペースエンクロージャ４６は対向するフレーム３０に接続されることができる。オープンスペース３２は上述したユーティリティの通路のために使われない所で、スペースエンクロージャ４６が必要とされる。スペースエンクロージャ４６はいかなる幾何学的形状にすることもでき、柱２０とフレーム３０の間の空間を実質的にカバーする限り、複数の要素（例えば、図３Ａおよび図３Ｂに示されるデッキ異形材およびアングル異形材）から成ることができる。スペースエンクロージャ４６は、フレーム３０間のスペース３２の中にあり、コンクリート４０を流し込む間フレーム３０間のオープンスペース３２のシール部にあり、コンクリート４０がフレーム３０間に流れ落ちるのを防止している。補強材６０、例えばスチールバー（図示された）またはマットがさらにコンクリート４０の連続層を補強するために加えられることができる。加えて、ブロッキング４４はフレーム３０を安定させるために対向する梁部材３０に接続されることができる。ブロッキング４４は、スペースエンクロージャ４６の形状およびサイズに応じて、スペースエンクロージャ４６に支持を提供することもできる。
【００２５】
本発明のパネル化システム１０の別の実施例は図４に示され、それは図１の４−４部分において取られた断面図である。加えて、パネル化システム１０の取付けエリアは、図４Ａおよび図４Ｂにおいて詳細に示される。先に述べたフレーム３０の特徴に加え、図４の他の図示した実施例図４Ａおよび図４Ｂは、フロアまたは屋根構成部分を含みレッジャーアングル１４０がフレーム３０のウェブ１２４に取付けられる。したがって、本発明のこの他の実施例はフレーム構成部分３０の上部フランジ１２０に載置されているデッキ９０を有せず、むしろフロアまたは屋根構成部分をレッジャーアングル１４０に載置しているデッキ９０を有する。これはフロアまたは屋根構造全体の厚みを減らし、高層ビルのための天井高にフロアまたは屋根を設計する際の柔軟性を提供する。
【００２６】
図５は、本発明の一実施例による第１外側複合パネル、本発明の別の実施例による第２外側複合パネルおよび内側のフィールド据付けパネルの断面図（図１の５−５線において取られた）である。前述のように、選択できる内側パーティション１８（図５Ａに示すように）は、例えば建物の通路などの内側スペースにわたるために用いることができる。内側梁８０は、内側パーティション１８を支持するのに役立つ上部フランジ８１を含む。加えて、ベントプレート８２は、上部フランジ８１に取り付けられることができる。このベントプレート８２は、溶接または他の手段によって取付けられることができ内側パーティション１８を支持するのに役立つ。様々な形状、組合せおよび構成が、内側梁８０およびベントプレート８２に使用されることができる。
【００２７】
本発明は、それぞれのフロアまたは屋根パネル２１、２２、２３および２４に関連して使用するスパンドレル梁システム１５を含むこともできる。例えばこの例に限らないが、スパンドレル梁システム１５を組込んでいるパネル化システム１０の平面図は、フロアまたは屋根パネル２１、２２、２３および２４の外側のエッジに沿って取付けられるスパンドレル梁システム１５と共に図１に示される。スパンドレル梁システム１５の一実施例の特徴は図５Ｃにおいて詳細に示される。図５Ｃで分かるように、スパンドレル梁システム１５は、デッキ９０と隣接していて連続するスチール補強棒またはポストテンション・スチールケーブルのような補強６１、梁閉鎖、連続する流出止部材８５、選択できるシアスタッド４２、そして、コンクリート層４０を含む。スチール補強棒６１は、スパンドレル梁システム１５に沿って、曲げおよびダイアフラム・シア抵抗を提供する。任意に、鉤状のスチール補強棒６０の複数は、他のスパンドレル梁システム１５の補強と接続して用いられ、垂直および水平の設計荷重を支持することもできる。
【００２８】
図５Ｃに示すように、任意のスパンドレル梁システム１５は、カーテンウォール１５０のための支持を提供することができる。その他の形および寸法を用いることができるが、スパンドレル梁システム１５の一実施例は、カーテンウォール１５０の長さに沿って水平に延在し支持するカーテンウォールサポートアングル３５を含む。
【００２９】
本発明の特徴は、連続するスチール補強棒６１および鉤状のスチール補強棒６０を含む補強に接続する連続する流出止部材８５の使用を含む。この特徴は、曲げ補強材、ダイアフラム・シア抵抗およびカーテンウォール１５０の重さおよび横方向の負荷の支持を提供する。
【００３０】
さらに図５Ｃを参照し、流出止８５、第１フランジ８７および第２フランジ８６を含む。さまざまな形状が考察されるにもかかわらず、流出止８５の第１フランジ８７は、第２フランジ８６によってほぼ垂直にすることができる。流出止８５の第１フランジ８７は、カーテンウォールサポートアングル３５のフランジ３９と隣接している。さらにまた、流出止８５の第１フランジ８７はコンクリート層４０の境界を確立する。第１フランジ８７は、鉤状のスチール補強棒６０を流出止８５に取付けるための取付け面として用いることができる。図示するように、流出止８５の第２フランジ８６は、コンクリート層４０に延在している単一の列（図示された）または複数の列に置かれる任意のシアスタッド４２を含むことができる。シアスタッド４２は、流出止８５にコンクリート層４０が接続するのをアシストできることによりスパンドレル梁システム１５の合成強度を増加させている。図示されるアングルに加え、他のプロフィール形状（例えば、チャネル）が、設計要件に応じて流出止８５のために使われることができる。スパンドレル梁閉鎖１３は、いかなる形状、プレフォーム、フラットストリップ、シートまたはプレートとすることもでき、流出止８５とデッキ９０の最も外部のエッジとの接続を提供する。流出止８５とデッキ９０の間に存在することができるいかなる隙間にもわたることにおいて、スパンドレル梁閉鎖１３は流出止８５およびデッキ９０間のコンクリート４０の流出を防止する。
【００３１】
例えばこの例に限らないが、図６は適切なフロアまたは屋根構成部部分として用いられることができ、パーティション構成部部分１８として両方用いられることができるデッキ９０を示す。デッキ９０は、例えば図６に示されるようにコンソリデーテッド・システムズ社（Ｃｏｎｓｏｌｉｄａｔｅｄ  Ｓｙｓｔｅｍｓ，  Ｉｎｃ）のＤＥＥＰ―ＤＥＫ（登録商標）とすることができる。多数の形状および寸法が本発明によって考察されるにもかかわらず、デッキ９０は、並列されて形成された縦方向に延在しているチャネルを有することができ、側壁（垂直ウェブ材）９３によって接続され、その代わりとしてフラット（下部フランジ部材）９２およびリブ（上部フランジ部材）９１を配置した。特に、デッキ９０は金属製とすることができる。フロアまたは屋根構成部分のために必要とされる長さおよび幅に応じてデッキ９０は所望の幅および長さをカバーする連続デッキパンででき、または図６に示すように複数のデッキパン９７は所望の幅および長さを形成するために並置された関係で接続された。この実施例のデッキパン９７は、ＨＳＬ  ＤＥＫ  ＬＯＫ（商標）ツール（米国特許第７，３５３，５８４号）を有し、それらの隆起した隠れたサイドラップ９８に沿って接続される。好ましくは、デッキ９０は閉成端９４を有するデッキパン９７を含む。
【００３２】
図３Ａ、図３Ｂ、図４Ａおよび図４Ｂにて図示したように、デッキ９０は、デッキ９０の代わりとして配置されたフラット（下部フランジ部材）９２に沿ってフレーム３０に取付けられる。したがって、図５Ａに示すように、デッキ９０はデッキ９０の最も外部のデッキ部９６の最も外部のフラット９５に沿って、内側梁８０の上部フランジ８１に好ましくは取付けられる。
【００３３】
例えばこの例に限らないが、図５Ａおよび図５Ｂは、本発明の内側梁部材８０にパーティション構成部分１８または１９の取付けの２つの手段を示す。予め組立てられたパーティション構成部分１９またはフィールド据付けパーティション１８は、例えばコンソリデーテッド・システムズ社（Ｃｏｎｓｏｌｉｄａｔｅｄ  Ｓｙｓｔｅｍｓ，  Ｉｎｃ．）によるＶＥＲＳＡ―ＤＥＫ（登録商標）は、ベントプレート８２（図５Ａ）を経由して、または上部フランジ８１（図５Ｂ）によって内側梁部材８０に接続することができる。
【００３４】
図７は、フレーム３０を柱２０に取付けるいくつかの特定の特徴を例示する。例えばこの例に限らないが、水平フレーム３０は、溝形梁でできていて上部フランジ１２０、下部フランジ１２２および垂直ウェブ取付け面１２４を含む。様々な付属品がフレーム３０を柱２０に取付けるために使用されることができるにもかかわらず、通常Ｌ字型穴付きクリップアングル１２６が用いられることができる。クリップアングル１２６は、フレーム３０の垂直ウェブ取付け面１２４に接続している梁取付けフランジ１２８および柱２０に接続している柱取付けフランジ１３０を含む。柱２０の形状に応じて、穴付きクリップアングル１２６が柱２０の両側に用いられることができ４面柱が用いられると仮定する。さらにまた、溝穴１３２はフレーム３０の水平調整を可能にするために梁部材取付けフランジ１２８および柱取付けフランジ１３０に沿ってある。選択肢として、フレーム３０の下部フランジ１２２はフレーム３０が柱２０に永久に取付けられる前にパネル化システム１０の取付けの間に、仮支持部材１２３によって仮に支持されることができる。
【００３５】
図２および図８に示すように、隣接するフロアまたは屋根パネル２１、２２、２３および２４の接続の別の実施例は、内側の予め組立てられたパーティション１９の使用を含む。前述のように、建物の外側パネル間の内部領域が建物用の通路として使われることができる。ほとんどパネル２１、２２、２３、および２４のデッキ９０のように、内側の予め組立てられたパーティション１９は、パネル化システム１０方法が（図２および図８に示すように）使用されたときにフレーム３０によって支持され、またはフィールド据付け方法が用いられる（図１および図５に示すように）ときに、内側フレーム部材８０によって支持される。
【００３６】
図８から取られる２枚の詳細図である図８Ａおよび図８Ｂは、予め組立てられた内側パーティション構成部分１９と予め組立てられた外側パネル２２と２４それぞれの間の接続を示す。予め組立てられた外側パネル２２のデッキ９０についての注意点は、レッジャーアングル１４０に取付けられ、それはフレーム部材３０のチャネルの中に載置されることである。図８Ｂを参照し、予め組立てられた外側パネル２４のこの別の実施例のデッキ９０がフレーム部材３０の上部に取付けられる点に注意する。外側パネル２２および２４に関する内側パーティション１９の相対的な位置は、図８Ａおよび図８Ｂに示されるように、異なって成形されたスペースエンクロージャ４６が使われることを要することができる。
【００３７】
図９は、図２からの詳細図であり、一連の穴付きクリップアングル１２６および構造コネクタ１２７を使用している柱２０へのフレーム３０の取付けの近接図を提供する。内側スペースのサイズおよび寸法に応じて、多くの内側パーティション１９が使われることができる。図２に示す実施例では、２つの隣接する内側パーティション１９が示される。様々な形状および寸法は、それぞれＬ字形状およびＴ字形状を含んでおり、穴付きクリップアングル１２６および構造コネクタ１２７のために使用されることができる。加えて、様々な形状および寸法は、内側梁３１のために使用されることができる。
【００３８】
図５Ａおよび図５Ｂに示すように、水平メカニカルプレナム６２は、内側パーティション１８の下に含まれることができる。加えて、パネル化システム１０の特徴は柱２０の中央線の間にアクセス開口を戦略的に配置することができる。これらの機械の開口部７０の位置の例は図１、図２、図５および図８に示される。
【００３９】
本発明は、パネル化システム１０を用いるフロアまたは屋根を建設する方法を更に含む。方法のステップは、以下を含む：１）建物の建設または建物の建設中の領域において、周辺部を確立するように離れたスペースをあけた柱２０を提供するステップ；２）前述したようにフレーム３０を提供するステップ；３）デッキ９０を含むフロアまたは屋根を提供するステップ；そして、４）パネル２１、２２、２３、および２４を形成するためにフレーム３０およびデッキ９０を接続するステップ。本発明の方法の別の実施例は、次のステップの一つ以上を含むこともできる。パネルの一つ以上の側面上の梁３０の代わりにスパンドレル梁システム１５を使用するステップ；コンクリート補強鉄筋６０または６１の一部もしくは全部をパネルに予め取り付けるステップ；コンクリート補強鉄筋６０または６１の一部もしくは全部をパネル上にパネル取付け後の分配のために配置するステップ；他の建設材料をパネル上にパネル取付け後の分配のために配置するステップ：パネル２１、２２、２３および２４の持上げおよび位置決め並びに柱２０間にパネル２１、２２、２３および２４の位置決めをするステップ；パネル２１、２２、２３および２４を柱２０に永久に接続するステップ：コンクリート補強鉄筋６０または６１を分配してそれから取付けるステップ；隣接するパネルのフレーム部材の間に必要であればブロッキング４４を挿入するステップ；スペースエンクロージャ４６を有する隣接するパネルのフレーム部材とのすきまをカバーするステップ；そして、デッキ９０上及び周囲にコンクリート層４０を注入するステップ。
【００４０】
パネル化システムの当業者は、多くの置換および修正が本発明の精神と範囲から逸脱することなく前述の実施例においてなされることができると認めるであろう。
【図１】
0005572100.tif 000002
【図２】
0005572100.tif 000003
【図３】
0005572100.tif 000004
【図３Ａ】
0005572100.tif 000005
【図３Ｂ】
0005572100.tif 000006
【図４】
0005572100.tif 000007
【図４Ａ】
0005572100.tif 000008
【図４Ｂ】
0005572100.tif 000009
【図５】
0005572100.tif 000010
【図５Ａ】
0005572100.tif 000011
【図５Ｂ】
0005572100.tif 000012
【図５Ｃ】
0005572100.tif 000013
【図６】
0005572100.tif 000014
【図７】
0005572100.tif 000015
【図８】
0005572100.tif 000016
【図８Ａ】
0005572100.tif 000017
【図８Ｂ】
0005572100.tif 000018
【図９】
0005572100.tif 000019